(57)【要約】【課題】これまでにない全く新規な水中ＡＲゴーグルおよび水中ＡＲゴーグル用の水中ＡＲ記録プログラムを提供する。【解決手段】水中ＡＲゴーグルに用いられる映像表示装置用の水中ＡＲ記録プログラムであって、前記映像表示装置を、前記映像表示装置のカメラの撮影によって得られた水中映像に基づくＡＲ映像を前記映像表示装置のディスプレイに表示させる表示制御部と、前記ディスプレイに表示されたＡＲ映像に対応する映像データを記録する記録制御部と、として機能させる水中ＡＲ記録プログラムが提供される。【選択図】図１Ｂ
2018201584.tif 000002
【特許請求の範囲】
【請求項１】
水中ＡＲゴーグルに用いられる映像表示装置用の水中ＡＲ記録プログラムであって、
前記映像表示装置を、
前記映像表示装置のカメラの撮影によって得られた水中映像に基づくＡＲ映像を前記映像表示装置のディスプレイに表示させる表示制御部と、
前記ディスプレイに表示されたＡＲ映像に対応する映像データを記録する記録制御部と、として機能させる水中ＡＲ記録プログラム。
【請求項２】
前記記録制御部は、所定ユーザ操作に応答して前記映像データを記録する、請求項１に記載の水中ＡＲ記録プログラム。
【請求項３】
前記所定ユーザ操作は、前記映像表示装置の一部に対する操作、前記水中ＡＲゴーグルの一部に対する操作、または、前記映像表示装置に接続された装置に対する操作である、請求項２に記載の水中ＡＲ記録プログラム。
【請求項４】
前記記録制御部は、前記カメラによって所定画像が撮影されたことに応答して前記映像データを記録する、請求項１に記載の水中ＡＲ記録プログラム。
【請求項５】
前記所定画像は、ユーザの手、もしくは、特定の色または形状を有するマーカーである、請求項４に記載の水中ＡＲ記録プログラム。
【請求項６】
前記記録制御部は、所定周波数の音波が検知されたことに応答して前記映像データを記録する、請求項１に記載の水中ＡＲ記録プログラム。
【請求項７】
前記所定周波数の音波は、ユーザの声であるか、前記映像表示装置に接続された装置または水中の装置から発生された音である、請求項６に記載の水中ＡＲ記録プログラム。
【請求項８】
前記記録制御部は、所定パターンの振動が感知されたことに応答して前記映像データを記録する、請求項１に記載の水中ＡＲ記録プログラム。
【請求項９】
水中ゴーグルと、
前記水中ゴーグルの前側に配置される映像表示装置と、を備え、
前記映像表示装置は、
ディスプレイと、
カメラと、
メモリと、
前記カメラの撮影によって得られた水中映像に基づくＡＲ映像を前記ディスプレイに表示させる表示制御部と、
前記ディスプレイに表示されたＡＲ映像に対応する映像データを前記メモリに記録する記録制御部と、を有する、水中ＡＲゴーグル。
【発明の詳細な説明】
【技術分野】
【０００１】
本発明は、水中ＡＲ記録プログラムおよび水中ＡＲゴーグルに関する。
【背景技術】
【０００２】
数多くの水中ゴーグルがあるが（特許文献１など）、いずれも水中を見ることしか想定していない。
【先行技術文献】
【特許文献】
【０００３】
【特許文献１】特開平１１−２５３５７７号公報
【発明の概要】
【発明が解決しようとする課題】
【０００４】
本発明の課題は、これまでにない全く新規な水中ＡＲゴーグルおよび水中ＡＲゴーグル用の水中ＡＲ記録プログラムを提供することである。
【課題を解決するための手段】
【０００５】
本発明の一態様によれば、水中ＡＲゴーグルに用いられる映像表示装置用の水中ＡＲ記録プログラムであって、前記映像表示装置を、前記映像表示装置のカメラの撮影によって得られた水中映像に基づくＡＲ映像を前記映像表示装置のディスプレイに表示させる表示制御部と、前記ディスプレイに表示されたＡＲ映像に対応する映像データを記録する記録制御部と、として機能させる水中ＡＲ記録プログラムが提供される。
この構成によれば、水中映像に基づくＡＲ映像を表示するだけでなく記録することもできる。
【０００６】
前記記録制御部は、所定ユーザ操作に応答して前記映像データを記録してもよい。
具体例として、前記所定ユーザ操作は、前記映像表示装置の一部に対する操作、前記水中ゴーグルの一部に対する操作、または、前記映像表示装置に接続された装置に対する操作であってもよい。
この構成によれば、ユーザが所定の操作を行うことで、所望のタイミングで簡易にＡＲ映像を記録できる。
【０００７】
前記記録制御部は、前記カメラによって所定画像が撮影されたことに応答して前記映像データを記録してもよい。
具体例として、前記所定画像は、ユーザの手、もしくは、特定の色または形状を有するマーカーであってもよい。
この構成によれば、カメラに所定画像を撮影させることで、所望のタイミングで簡易にＡＲ映像を記録できる。
【０００８】
前記記録制御部は、所定周波数の音波が検知されたことに応答して前記映像データを記録してもよい。
具体例として、前記所定周波数の音波は、ユーザの声であるか、前記映像表示装置に接続された装置または水中の装置から発生された音であってもよい。
この構成によれば、所定周波数の音波を発生させることで、所望のタイミングで簡易にＡＲ映像を記録できる。
【０００９】
前記記録制御部は、所定パターンの振動が感知されたことに応答して前記映像データを記録してもよい。
この構成によれば、所定パターンの振動を与えることで、所望のタイミングで簡易にＡＲ映像を記録できる。
【００１０】
また、本発明の別の態様によれば、水中ゴーグルと、前記水中ゴーグルの前側に配置される映像表示装置と、を備え、前記映像表示装置は、ディスプレイと、カメラと、メモリと、前記カメラの撮影によって得られた水中映像に基づくＡＲ映像を前記ディスプレイに表示させる表示制御部と、前記ディスプレイに表示されたＡＲ映像に対応する映像データを前記メモリに記録する記録制御部と、を有する、水中ＡＲゴーグルが提供される。
この構成によっても、水中映像に基づくＡＲ映像を表示するだけでなく記録することもできる。
【発明の効果】
【００１１】
水中映像に基づくＡＲ映像を表示するだけでなく記録することもできるという、全く新規な水中ＡＲゴーグルおよび水中ＡＲゴーグル用の水中ＡＲ記録プログラムが提供される。
【図面の簡単な説明】
【００１２】
【図１Ａ】一実施形態に係る水中ＡＲゴーグルの外観図。
【図１Ｂ】一実施形態に係る水中ＡＲゴーグルの分解斜視図。
【図２】映像表示装置３００の概略構成を示すブロック図。
【図３】映像表示装置３００の具体的な第１構成例を示すブロック図。
【図４】映像表示装置３００の具体的な第２構成例を示すブロック図。
【図５】映像表示装置３００の具体的な第３構成例を示すブロック図。
【図６】映像表示装置３００の具体的な第４構成例を示すブロック図。
【発明を実施するための形態】
【００１３】
以下、本発明に係る実施形態について、図面を参照しながら具体的に説明する。
【００１４】
図１Ａおよび図１Ｂはそれぞれ、一実施形態に係る水中ＡＲゴーグルの外観図および分解斜視図である。この水中ＡＲゴーグルは、水中ゴーグル１００と、フレネルレンズ２００と、映像表示装置３００と、フレーム部４００と、ケーシング５００とを備えている。
【００１５】
水中ゴーグル１００はユーザの頭部に装着されるものである。水中ゴーグル１００は開口した窓部１０１が形成されており、水中ゴーグル１００を頭部に装着したユーザ（以下、単に装着者という）の眼の前側（装着者の視線の先、以下同じ）に窓部１０１が位置する。この窓部１０１にはフレネルレンズ２００が設けられる。一例として、窓部１０１にガラス面が嵌められ、そのガラス面にフレネルレンズ２００が取り付けられてもよい。別の例として、窓部１０１にフレネルレンズ２００としての機能を兼ね備えたガラス面が嵌められていてもよい。ガラス面は単眼でもよいし両眼でもよい。
【００１６】
水中ゴーグル１００は防水機能を持っており、装着者が水中に潜っても装着者の眼とフレネルレンズ２００との間（フレネルレンズ２００の内側）には水が入り込まないようになっている。
【００１７】
映像表示装置３００はフレネルレンズ２００の前側に配置される。映像表示装置３００は前側の面における例えば角部に設けられたカメラ２を有し、水中ＡＲゴーグルの前方を撮影する。また、映像表示装置３００は後側の面に設けられた、フレネルレンズ２００と同程度の大きさのディスプレイ（図１Ａおよび図１Ｂには不図示）を有し、このディスプレイには後述するＡＲ映像が表示される。
【００１８】
ディスプレイに表示されるＡＲ映像の焦点位置は、フレネルレンズ２００によって装着者の眼の位置に合うよう調整されている。これにより、眼の至近に映像表示装置３００が配置されているが、装着者はディスプレイに表示されたＡＲ映像をピントが合った状態で視ることができ、水中でＡＲ映像を楽しむことができる。
【００１９】
映像表示装置３００は防水機能を持っており、ディスプレイは水中でもＡＲ映像を表示できるし、カメラ２は水中でも撮影を行うことができる。なお、本実施形態では、映像表示装置３００がカメラ２を有していることとしたが、ディスプレイを有する映像表示装置３００とカメラ２とが別体であってもよい。
【００２０】
ケーシング５００は前面５０１、上面５０２、側面５０３および下面５０４から構成され、フレーム部４００の内側に嵌められた映像表示装置３００を覆う。また、フレネルレンズ２００もケーシング５００内に位置する。
【００２１】
ケーシング５００の前面５０１には、カメラ２に対応する位置、より具体的には、カメラ２の前方に撮影窓５１０が設けられている。撮影窓５１０は開口であってもよいし、透明な部材であってもよい。これにより、撮影窓５１０を通してカメラ２が水中ＡＲゴーグルより前方を撮影でき、装着者が水中に潜ることで、カメラ２が水中を撮影できる。
【００２２】
また、ケーシング５００の１または複数の位置にスリット５２０（隙間）が設けられる。スリット５２０が設けられない場合、装着者が水中に潜る際にケーシング５００内の空気による浮力が生じ、装着者が水中に潜るのが困難となることがある。また、装着者が水中から水上に出る際にケーシング５００内に溜まった水の重さによって、装着者が水上に出るのが困難となることがある。これに対し、ケーシング５００にスリット５２０を設けることで、空気や水がスリット５２０を通してケーシング５００の内外を円滑に移動可能となり、装着者が水中に潜ったり水上に出たりするのが容易となる。
【００２３】
スリット５２０はケーシング５００の上面５０２および下面５０４に設けられるのが望ましい。装着者が水中に潜る際には、上面５０２のスリット５２０からケーシング５００内の空気が抜けるとともに、下面５０４のスリット５２０からケーシング５００内に水が流入する。また、装着者が水上に出る際には、上面５０２のスリット５２０からケーシング５００内に空気が流入するとともに、下面５０４のスリット５２０からケーシング５００内に溜まった水が抜ける。もちろん、スリット５２０を設ける位置に制限はなく、例えば側面５０３に設けてもよい。
【００２４】
なお、水中ＡＲゴーグルは全体が一体の装置であってもよいし、複数の部品を組み合わせて構成されるものであってもよい。後者の場合、映像表示装置３００がスマートフォンであり、フレネルレンズ２００が設けられた水中ゴーグル１００、フレーム部４００およびケーシング５００と組み合わせる仕様とすることもできる。なお、必ずしも映像表示装置３００に防水機能がなくてもよく、この場合にはフレーム部４００に防水機能を持たせて映像表示装置３００が浸水しないようにしてもよい。また、映像表示装置３００に防水機能がある場合には、フレーム部４００を省略してもよい。
【００２５】
以下、映像表示装置３００について詳しく説明する。
図２は、映像表示装置３００の概略構成を示すブロック図である。映像表示装置３００は、上述したディスプレイ１およびカメラ２に加え、メモリ３と、制御部４とを備える。また、制御部４は、表示制御部４１と、記録制御部４２とを有する。制御部４内の各部は、全部または一部がハードウェアで実装されてもよいが、以下では映像表示装置３００がスマートフォンであって、制御部４内の各部はソフトウェアで実現されるものとする。この場合、特定アプリの起動によって、すなわち、映像表示装置３００のプロセッサが水中ＡＲ記録プログラムを実行することによって各部が実現される。
【００２６】
表示制御部４１はカメラ２による撮影によって得られた映像（装着者が水中に潜っている場合には水中映像）に基づくＡＲ映像をディスプレイ１に表示させる。具体例として、表示制御部４１はカメラ２による撮影によって得られた水中映像に予め準備された映像を重畳してＡＲ映像を生成してもよい。予め準備された映像は、例えば魚や海藻といった海に関連するものとすることができる。
【００２７】
記録制御部４２はディスプレイ１に表示されたＡＲ映像に対応する映像データをメモリ３に記録する。映像データは動画像を表すものでもよいし、静止画像を表すものでもよい。また、記録する映像データはディスプレイ１に表示されたＡＲ映像そのものでもよいし、適宜圧縮や画像処理等を施したものであってもよい。記録制御部４２は、表示制御部４１がＡＲ映像の表示を開始した時点で記録を開始してもよいし、一定間隔ごとに自動的に（装着者からの指示なしで）記録を行ってもよいし、何らかのトリガに同期して記録を開始してもよい。トリガと同期して記録を開始する場合、例えば以下のような態様がある。
【００２８】
図３は、映像表示装置３００の具体的な第１構成例を示すブロック図である。本例は、所定ユーザ操作に応答して記録制御部４２が映像データを記録するものであり、映像表示装置３００が操作受付部５を有している。
【００２９】
操作受付部５はスマートフォンである映像表示装置３００のエッジ部分に設けられたボタンであってもよい。そして、装着者がボタンを押したことをトリガとして記録制御部４２が映像データを記録する。装着者がボタンを直接的に押せる構成であってもよいし、装着者が水中ＡＲゴーグルの映像表示装置３００とは異なる部分（例えば、ケーシング５００や水中ゴーグル１００の一部）を押すことで、映像表示装置３００に設けられたボタンを間接的に押す構成であってもよい。
【００３０】
あるいは、操作受付部５はタッチパネルであってもよい。そして、装着者がタッチパネルに触れたことをトリガとして記録制御部４２が映像データを記録する。表示制御部４１が所定のアイコンをディスプレイ１に表示させ、装着者がアイコンを触れたことをトリガとしてもよい。
【００３１】
また、操作受付部５はボタンやタッチパネルといったユーザインターフェースでなくてもよい。例えば、映像表示装置３００に外付け装置（不図示）を接続し、この外付け装置に対する操作が行われたことを操作受付部５が取得してトリガとしてもよい。
【００３２】
外付け装置は装着者によって押されるボタンが設けられていてもよい。また、外付け装置は圧力センサが搭載されたシュノーケルであってもよい。この場合、装着者がマウスピースを３回噛むなど特定パターンの圧力を加えたことを圧力センサが検出し、検出結果を映像表示装置３００の操作受付部５が取得してトリガとしてもよい。
【００３３】
図４は、映像表示装置３００の具体的な第２構成例を示すブロック図である。本例は、カメラ２によって所定画像が撮影されたことに応答して記録制御部４２が映像データを記録するものであり、映像表示装置３００における制御部４が画像認識部４３を有している。
【００３４】
画像認識部４３は、例えばカメラ２の撮影によって得られた水中映像を解析し、所定画像を認識する。そして、画像認識部４３によって所定画像が認識されたことをトリガとして記録制御部４２が映像データを記録する。所定画像は、例えば事前に登録された装着者の手、もしくは、特定の色または形状を有するマーカーである。マーカーとする場合、水中では短波長の色が認識されやすいため、青色や紫色であるのが望ましい。
【００３５】
図５は、映像表示装置３００の具体的な第３構成例を示すブロック図である。本例は、所定周波数の音波が検知されたことに応答して記録制御部４２が映像データを記録するものであり、映像表示装置３００における制御部４が音波検知部４４を有している。
【００３６】
音波検知部４４は、例えば映像表示装置３００におけるマイクなどの音センサが検知した音波を解析し、所定周波数が含まれることを検知する。そして、音波検知部４４によって所定周波数が検知されたことをトリガとして記録制御部４２が映像データを記録する。所定周波数の音波は、例えば映像表示装置３００に接続されたウェアラブル端末装置（不図示）あるいは水中に設置された装置から発生されてもよい。また、所定周波数の音波は予め登録された装着者の声であってもよい。この場合、音センサが搭載されたシュノーケルを映像表示装置３００に接続してもよい。
【００３７】
図６は、映像表示装置３００の具体的な第４構成例を示すブロック図である。本例は、所定パターンの振動が感知されたことに応答して記録制御部４２が映像データを記録するものであり、映像表示装置３００が振動センサ６を備え、映像表示装置３００における制御部４が振動感知部４５を有している。
【００３８】
振動センサ６は映像表示装置３００に与えられた振動を検出する。振動感知部４５は検出された振動が所定パターンの振動であることを感知する。そして、振動感知部４５によって所定パターンの振動が感知されたことをトリガとして記録制御部４２が映像データを記録する。
【００３９】
以上説明した各具体例において、記録制御部４２はあるトリガが検出された時点でのＡＲ映像に対応する映像データを記録してもよいし、トリガが検出されて所定時間経過後の映像データを記録してもよい。また、記録制御部４２が動画像として映像データを記録する場合、記録開始から所定時間経過後に記録を終了してもよいし、記録開始と同様に何らかのトリガに同期して記録を終了してもよい。これらの所定時間は、予め定めた固定値であってもよいし、ユーザによって設定可能であってもよい。さらに、各具体例の２以上を組み合わせてもよい。
【００４０】
また、映像表示装置３００に外付け装置を接続する場合、有線接続でもよいし無線接続でもよい。無線接続の場合、特定周波数の音波や光の点滅パターンなど、水中での通信が容易な接続であってもよい。
【００４１】
以上説明したように、本実施形態では、本実施形態では、装着者の眼と映像表示装置３００との間にフレネルレンズ２００を設ける。これにより、装着者は映像表示装置３００のディスプレイ１に表示された映像をピントが合った状態で視ることができる。
【００４２】
さらに、映像表示装置３００に表示制御部４１および記録制御部４２を設ける。これにより、水中ＡＲ映像を表示するだけでなく記録も可能となり、装着者の楽しみが向上する。また、ユーザ操作、画像検出、音波検知、振動感知などによって、簡易に任意のタイミングで水中ＡＲ映像を記録できる。
【００４３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００４４】
１００  水中ゴーグル
１０１  窓部
２００  フレネルレンズ
３００  映像表示装置
４００  フレーム部
５００  ケーシング
５０１  前面
５０２  上面
５０３  側面
５０４  下面
５１０  撮影窓
５２０  スリット
１  ディスプレイ
２  カメラ
３  メモリ
４  制御部
４１  表示制御部
４２  記録制御部
４３  画像認識部
４４  音波検知部
４５  振動感知部
５  操作受付部
６  振動センサ
【図１Ａ】
2018201584.tif 000003
【図１Ｂ】
2018201584.tif 000004
【図２】
2018201584.tif 000005
【図３】
2018201584.tif 000006
【図４】
2018201584.tif 000007
【図５】
2018201584.tif 000008
【図６】
2018201584.tif 000009